(57)【要約】      （修正有）【課題】簡単な操作によって、提げ手を袋部に取付けできる袋物の提げ手を提供する。【解決手段】袋物の提げ手は、提げ手主体１０と、第１座板部材２０と、第２座板部材３０とを備える。提げ手主体は、両端部に係止具１１を有する。第１座板部材は、円筒状の雄螺子部、及び鍔部を有する。雄螺子部は、提げ手主体が挿通される中空部を有し、袋部１に設けられている第１挿通孔に挿通可能である。鍔部は、雄螺子部における軸方向の一端側に形成されており、袋部の外部側にワッシャ４０とともに配設される。第２座板部材は、袋部の内部側に配設され、雄螺子部が第１挿通孔に挿通されているときに、雄螺子部に螺合される雌螺子部を有する。第２座板部材は、係止具が、中空部及び第１挿通孔を介して袋部の外部側から内部側に挿通されているときに、抜止め状態に係止具と係合する。【選択図】図１
0003221603.tif 000002
【実用新案登録請求の範囲】
【請求項１】
両端部に係止具（１１）を有する提げ手主体（１０）と、
前記提げ手主体（１０）が挿通される中空部（２１ａ）を有し、袋部（１）に設けられている第１挿通孔（２）に挿通可能である円筒状の雄螺子部（２１）、及び前記雄螺子部（２１）における軸方向の一端側に形成され、前記袋部（１）の外部側に配設される鍔部（２２）を有する第１座板部材（２０）と、
前記袋部（１）の内部側に配設され、前記雄螺子部（２１）が前記第１挿通孔（２）に挿通されているときに、前記雄螺子部（２１）に螺合される雌螺子部（３１）を有し、前記係止具（１１）が、前記中空部（２１ａ）及び前記第１挿通孔（２）を介して前記袋部（１）の前記外部側から前記内部側に挿通されているときに、抜止め状態に前記係止具（１１）と係合する第２座板部材（３０）と
を備える、袋物の提げ手。
【請求項２】
前記袋部（１）の前記外部側に配設され、前記雄螺子部（２１）が挿通される第２挿通孔（４１）を有し、前記鍔部（２２）より大きい面積に形成され、前記鍔部（２２）によって前記袋部（１）に係止されるシート状のワッシャ部材（４０）を更に備える、請求項１に記載の袋物の提げ手。
【請求項３】
前記ワッシャ部材（４０）は、前記袋部（１）の前記内部側に向かって突設され、前記袋部（１）と係合し、前記ワッシャ部材（４０）が、前記雄螺子部（２１）の中心軸周りに回転することを規制する規制部（４３）を有している、請求項２に記載の袋物の提げ手。
【請求項４】
前記鍔部（２２、２２Ａ）は、前記第２座板部材（３０）より大きい面積に形成されている、請求項１に記載の袋物の提げ手。
【請求項５】
前記提げ手主体（１０）は、紐状であり、
前記係止具（１１）は、前記提げ手主体（１０）が延びる方向に交差する方向に延びる棒形状を有し、
前記第２座板部材（３０）は、前記係止具（１１）と当接する当接面部（３２）に、前記係止具（１１）と嵌合する嵌合溝（３３）を有する、請求項１から請求項４のいずれか１項に記載の袋物の提げ手。
【請求項６】
請求項１から請求項５のいずれか１項に記載の袋物の提げ手と、前記袋部（１）の前記内部側に配設される内部収容体（５０）であって、小物を収容するポケット部（５１）と、前記雄螺子部（２１）が挿通される第３挿通孔（５２ａ）を有し、前記ポケット部（５１）を支持するシート状の支持部（５２）とを有する内部収容体（５０）を備える、手提げ袋。
【考案の詳細な説明】
【技術分野】
【０００１】
本考案は、袋物の提げ手等に関し、特に手提げ紙袋に使用するのに好適な袋物の提げ手等に関するものである。
【背景技術】
【０００２】
袋物の提げ手として、特許文献１には、提げ手を手提げ袋に取付ける取付け部分の強度を保ちながら提げ手を取り替えることができる袋物の提げ手が記載されている。特許文献１に記載の提げ手は、紐状の提げ手主体と、円板状の座板を備える。円板状の座板は、中央に丸孔を有しており、裏面に複数の軸状部材が立設されている。複数の軸状部材は、袋部に設けた細孔を通して、袋部の外部側から内部側に差し込まれ、袋部の内部側で、各々、留め具と係合される。複数の軸状部材が、袋部の内部側で、各々、留め具と係合されることによって、座板は袋部の外部側で袋部に固定される。
【０００３】
また、提げ手主体は、両端部に横棒状の係止具を有している。係止具は、座板の丸孔と、袋部に設けられた挿通孔とを通して、袋部の外部側から内部側に挿通され、座板の裏側で抜止め状態に袋部の内側面と当接し、提げ手主体を袋部に係止する。以上のとおり、特許文献１に記載の袋物の提げ手によれば、例えば有名ブランドの手提げ紙袋等のファッション性の高い袋において、取付け部分の強度を保ちながら提げ手を取り替えることができ、そのような袋を長期間にわたって有効活用できる。
【先行技術文献】
【特許文献】
【０００４】
【特許文献１】特開平９−１３２２４５号公報
【考案の概要】
【考案が解決しようとする課題】
【０００５】
しかしながら、特許文献１に記載の袋物の提げ手においては、座板を袋部に固定する際に、複数の軸状部材と複数の留め具を各々係合させる必要があり、座板の取付けが煩雑となり、提げ手を袋部に取付ける操作が煩雑となることも考えられる。
【０００６】
本考案は上記課題に鑑みてなされたものであり、その目的は、簡単な操作によって、提げ手を袋部に取付けできる袋物の提げ手を提供することにある。
【課題を解決するための手段】
【０００７】
本願に開示する袋物の提げ手は、提げ手主体（１０）と、第１座板部材（２０）と、第２座板部材（３０）とを備える。前記提げ手主体（１０）は、両端部に係止具（１１）を有する。前記第１座板部材（２０）は、円筒状の雄螺子部（２１）、及び鍔部（２２）を有する。前記雄螺子部（２１）は、前記提げ手主体（１０）が挿通される中空部（２１ａ）を有し、袋部（１）に設けられている第１挿通孔（２）に挿通可能である。鍔部（２２）は、前記雄螺子部（２１）における軸方向の一端側に形成されており、前記袋部（１）の外部側に配設される。前記第２座板部材（３０）は、前記袋部（１）の内部側に配設され、雌螺子部（３１）を有する。前記雌螺子部（３１）は、前記雄螺子部（２１）が前記第１挿通孔（２）に挿通されているときに、前記雄螺子部（２１）に螺合される。また、第２座板部材（３０）は、前記係止具（１１）が、前記中空部（２１ａ）及び前記第１挿通孔（２）を介して前記袋部（１）の前記外部側から前記内部側に挿通されているときに、抜止め状態に前記係止具（１１）と係合する。
【０００８】
本願に開示する袋物の提げ手は、シート状のワッシャ部材（４０）を更に備える。前記ワッシャ部材（４０）は、前記袋部（１）の前記外部側に配設され、第２挿通孔（４１）を有し、前記鍔部（２２）より大きい面積に形成され、前記鍔部（２２）によって前記袋部（１）に係止される。前記第２挿通孔（４１）は、前記雄螺子部（２１）が挿通される。
【０００９】
本願に開示する袋物の提げ手において、前記ワッシャ部材（４０）は、前記袋部（１）の前記内部側に向かって突設される規制部（４３）を有する。前記規制部（４３）は、前記袋部（１）と係合し、前記ワッシャ部材（４０）が、前記雄螺子部（２１）の中心軸周りに回転することを規制する。
【００１０】
本願に開示する袋物の提げ手において、前記鍔部（２２、２２Ａ）は、前記第２座板部材（３０）より大きい面積に形成されている。
【００１１】
本願に開示する袋物の提げ手において、前記提げ手主体（１０）は、紐状であり、前記係止具（１１）は、前記提げ手主体（１０）が延びる方向に交差する方向に延びる棒形状を有する。前記第２座板部材（３０）は、当接面部（３２）に嵌合溝（３３）を有する。前記当接面部（３２）は、前記係止具（１１）と当接する。前記嵌合溝（３３）は、前記係止具（１１）と嵌合する。
【００１２】
本願に開示する手提げ袋は、上記のいずれか１つに記載の袋物の提げ手と、前記袋部（１）の前記内部側に配設される内部収容体（５０）を備える。前記内部収容体（５０）は、ポケット部（５１）と、シート状の支持部（５２）とを有する。前記ポケット部（５１）は、小物を収容する。前記支持部（５２）は、第３挿通孔（５２ａ）を有し、前記ポケット部（５１）を支持する。前記第３挿通孔（５２ａ）は、前記雄螺子部（２１）が挿通される。
【考案の効果】
【００１３】
本考案の袋物の提げ手によれば、簡単な操作によって、提げ手を袋部に取付けできる。
【図面の簡単な説明】
【００１４】
【図１】本考案の実施形態に係る袋物の提げ手を示す斜視図である。
【図２】本考案の実施形態に係る袋物の提げ手を示す分解斜視図である。
【図３】（ａ）は、本考案の実施形態に係る袋物の提げ手を示す断面図である。（ｂ）は、本考案の実施形態に係る第２座板部材を示す正面図である。
【図４】（ａ）は、本考案の実施形態に係るワッシャ部材を示す正面図である。（ｂ）は、本考案の実施形態に係るワッシャ部材を示す断面図である。
【図５】（ａ）は、本考案の他の実施形態に係る第１座板部材を示す正面図である。（ｂ）は、本考案の他の実施形態に係る第１座板部材を示す断面図である。
【図６】本考案の実施形態に係る手提げ袋を示す斜視図である。
【図７】本考案の実施形態に係る手提げ袋を示す断面図である。
【考案を実施するための形態】
【００１５】
以下、本考案の実施形態に係る袋物の提げ手及び手提げ袋を図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１６】
〈実施形態〉
図１〜図３を参照して、本考案の実施形態に係る袋物の提げ手を説明する。図１は、実施形態に係る袋物の提げ手を示す斜視図である。図２は、実施形態に係る袋物の提げ手を示す分解斜視図である。図３（ａ）は、実施形態に係る袋物の提げ手を示す断面図である。図３（ｂ）は、実施形態に係る第２座板部材を示す正面図である。
【００１７】
図１に示すように、実施形態に係る袋物の提げ手は、提げ手主体１０と、第１座板部材２０と、第２座板部材３０とを備える。提げ手主体１０は、紐状であり、両端部に係止具１１を有する。係止具１１は、提げ手主体１０が延びる方向に交差する方向に延びる棒形状を有する。
【００１８】
図２、図３に示すように、第１座板部材２０は、円筒状の雄螺子部２１、及び鍔部２２を有する。雄螺子部２１は、提げ手主体１０が挿通される中空部２１ａを有し、袋部１に設けられている第１挿通孔２に挿通可能である。鍔部２２は、雄螺子部２１における軸方向の一端側に形成されており、袋部１の外部側に配設される。鍔部２２は、実施形態においては、円板状である。
【００１９】
第２座板部材３０は、袋部１の内部側に配設され、雌螺子部３１を有する。雌螺子部３１は、第２座板部材３０の中央部に形成されており、雄螺子部２１が第１挿通孔２に挿通されているときに、雄螺子部２１に螺合される。また、第２座板部材３０は、係止具１１が、中空部２１ａ及び第１挿通孔２を介して袋部１の外部側から内部側に挿通されているときに、抜止め状態に係止具１１と係合する。第２座板部材３０は、実施形態においては、円板状であり、第１座板部材２０の鍔部２２と略同一の外径に形成される。
【００２０】
以上、図１〜図３を参照して説明したように、実施形態に係る袋物の提げ手によれば、第１座板部材２０の鍔部２２が、袋部１の外部側に配設され、第１座板部材２０の雄螺子部２１が、袋部１の第１挿通孔２に挿通され、第２座板部材３０の雌螺子部３１が、袋部１の内部側において雄螺子部２１に螺合されることによって、第１座板部材２０と第２座板部材３０とが袋部１に固定される。従って、雌螺子部３１を雄螺子部２１に螺合させる１回の操作で、第１座板部材２０と第２座板部材３０とを袋部１に固定することができる。
【００２１】
また、提げ手主体１０の係止具１１が、中空部２１ａと第１挿通孔２とを介して袋部１の外部側から内部側に挿通され、抜止め状態に第２座板部材３０と係合されることによって、提げ手主体１０が袋部１に係止される。従って、係止具１１を第１座板部材２０の中空部２１ａに挿通するだけで、提げ手主体１０を袋部１に取付けることができ、取付け部分の強度を保ちながら、簡単な操作によって、袋物の提げ手を袋部１に取付けできる。
【００２２】
その結果、取付け部分の強度を保ちながら、簡単な操作によって、例えば、有名ブランドの店舗で配布される紙製袋の提げ手だけを取り替え、使用することができ、使用者の好みに合った袋を長期間にわたって使用できる。また、例えば、提げ手主体１０、係止具１１、第１座板部材２０、第２座板部材３０として洗練されたデザインのものを使用すれば、市販の一般的な手提げ紙袋において、提げ手に高級感を付与することができ、例えば市販の一般的な手提げ紙袋であっても、容易にデザインを改良できる。また、係止具１１は、袋部１の内側面とではなく、第２座板部材３０と抜止め状態に係合される。従って、取付け部分の強度を更に向上させることもできる。
【００２３】
次に、図１〜図４を参照して、本考案の他の実施形態に係る袋物の提げ手を説明する。図４（ａ）は、実施形態に係るワッシャ部材４０を示す正面図である。図４（ｂ）は、実施形態に係るワッシャ部材４０を示す断面図である。
【００２４】
図１〜図４に示すように、実施形態に係る袋物の提げ手は、シート状のワッシャ部材４０を更に備える。ワッシャ部材４０は、袋部１の外部側に配設される。また、ワッシャ部材４０は、第２挿通孔４１を有し、第１座板部材２０の鍔部２２より大きい面積に形成されている。第２挿通孔４１は、雄螺子部２１が挿通される。なお、ワッシャ部材４０の面積が鍔部２２の面積より大きいとは、シート状のワッシャ部材４０において袋部１の外部側に向かう面の面積が、円板状の鍔部２２において袋部１の外部側に向かう面の面積より大きいことをいう。
【００２５】
ワッシャ部材４０の第２挿通孔４１は、鍔部２２の外径より小さい径に形成されており、雄螺子部２１が、袋部１の外部側からワッシャ部材４０の第２挿通孔４１と袋部１の第１挿通孔２とに挿通され、袋部１の内部側において、雄螺子部２１に雌螺子部３１が螺合されることによって、ワッシャ部材４０は、鍔部２２と袋部１との間で袋部１に固定される。
【００２６】
図４に示すように、ワッシャ部材４０は、様々な形状に形成できる。また、ワッシャ部材４０は、様々な色彩に着色でき、様々な図柄が形成できる。図示例においては、ワッシャ部材４０は、花弁を表す形状に形成され、花弁に相応しい色彩に着色され、花弁を表すような図柄が形成される。また、ワッシャ部材４０の表面には、花弁の形状に対応し、凹凸を形成できる。
【００２７】
以上、図１〜図４を参照して説明したように、実施形態に係る袋物の提げ手によれば、鍔部２２より大きい面積に形成されるワッシャ部材４０が、袋部１の外部側で鍔部２２によって係止される。従って、ワッシャ部材４０は、鍔部２２によって覆われていない残部にデザインを施す余地を有しており、当該残部に様々なデザインを施すことによって、使用者の好みに合った手提げ袋のデザインを簡易に改良できる。その結果、例えば、有名ブランドの店舗で配布される紙製袋、及び市販の一般的な手提げ紙袋において、デザインを容易に改良できる。
【００２８】
次に、図４を参照して、本考案に係る更に他の実施形態を説明する。本実施形態においては、ワッシャ部材４０は、袋部１の内部側に向かって突設される規制部４３を有している。規制部４３は、突起状であり、シート状のワッシャ部材４０において、袋部１の内部側に向かう面に突設される。
【００２９】
規制部４３は、袋部１と係合し、ワッシャ部材４０が、雄螺子部２１の中心軸周りに回転することを規制する。なお、実施形態においては、袋部１は、規制部４３と嵌合する嵌合孔３を有している。また、第２座板部材３０は、規制部４３の頂部と嵌合する嵌合凹部３４を有している。嵌合凹部３４は、円板状の第２座板部材３０において、袋部１の外部側に向かう面に形成される。
【００３０】
以上、図４を参照して説明したように、実施形態に係る袋物の提げ手によれば、ワッシャ部材４０が、規制部４３を有しており、規制部４３が、袋部１と係合することによって、ワッシャ部材４０が、雄螺子部２１の中心軸周りに回転することが規制される。従って、ワッシャ部材４０にデザインが施されているときに、デザインの効果が最大となる位置にワッシャ部材４０の回転位置を維持することができ、ワッシャ部材４０に施されているデザインの効果を最大化することができる。例えば、ワッシャ部材４０に、動物の顔を表すようなデザインが施されているとき、動物の耳が上に位置し、動物の口が下に位置するようにワッシャ部材４０を固定すれば、ワッシャ部材４０に施されているデザインの効果を最大化できる。
【００３１】
また、実施形態に係る袋物の提げ手によれば、袋部１が、規制部４３と嵌合する嵌合孔３を有している。従って、ワッシャ部材４０に施されているデザインの効果を最大化できる回転位置にワッシャ部材４０を固定するように、嵌合孔３を袋部１に設ける位置を設定すれば、ワッシャ部材４０を最適な回転位置に容易に位置決めでき、ワッシャ部材４０に施されているデザインの効果を容易に最大化できる。例えば、ワッシャ部材４０に、動物の顔を表すようなデザインが施されているとき、動物の耳が上に位置し、動物の口が下に位置するように、規制部４３と嵌合孔３とを設ければ、ワッシャ部材４０に施されているデザインの効果を容易に最大化できる。
【００３２】
また、例えば、袋部１が紙製であれば、規制部４３の頂部を尖らせることによって、規制部４３の頂部を袋部１に押し付けるだけで、袋部１に嵌合孔３を形成できる。従って、規制部４３が先細の形状を有することによって、使用者の好みに合った回転位置でワッシャ部材４０の回転位置を固定することが容易となり、手提げ袋のデザインを使用者の好みに合うように容易に改変できる。
【００３３】
また、実施形態に係る袋物の提げ手によれば、第２座板部材３０が、規制部４３の頂部と嵌合する嵌合凹部３４を有している。従って、雄螺子部２１に雌螺子部３１を螺合させる際に第１座板部材２０を手で回転させるとき、第２座板部材３０が連れ回りすることを防止でき、雄螺子部２１に雌螺子部３１を締め付ける操作を容易にすることができる。
【００３４】
次に、図５を参照して、本考案に係る更に他の実施形態を説明する。図５（ａ）は、更に他の実施形態に係る第１座板部材２０Ａを示す正面図である。図５（ｂ）は、更に他の実施形態に係る第１座板部材２０Ａを示す断面図である。
【００３５】
図５に示すように、本実施形態においては、第１座板部材２０Ａの鍔部２２Ａは、第２座板部材３０より大きい面積に形成されている。すなわち、本実施形態においては、ワッシャ部材４０を設ける代わりに、第１座板部材２０Ａの鍔部２２Ａの面積を上記各実施形態に係る第１座板部材２０の鍔部２２の面積より大きくし、鍔部２２Ａの面積を第２座板部材３０の面積より大きくしている。なお、鍔部２２Ａの面積が第２座板部材３０の面積より大きいとは、板状の鍔部２２Ａにおいて袋部１の外部側に向かう面の面積が、円板状の第２座板部材３０において袋部１の外部側に向かう面の面積より大きいことをいう。
【００３６】
以上、図５を参照して説明したように、実施形態に係る袋物の提げ手によれば、第１座板部材２０Ａの鍔部２２Ａが、第２座板部材３０より大きい面積に形成されていることによって、鍔部２２Ａにデザインを施す余地が大きくなる。従って、図５に示すように、鍔部２２Ａは、様々な形状に形成できる。また、鍔部２２Ａは、様々な色彩に着色でき、様々な図柄が形成できる。図示例においては、鍔部２２Ａは、動物の顔を表す形状に形成され、動物の顔に相応しい色彩に着色され、動物の顔を表すような図柄が形成される。また、鍔部２２Ａの表面には、動物の顔の形状に対応し、凹凸を形成できる。その結果、有名ブランドの店舗で配布される紙製袋、及び市販の一般的な手提げ紙袋においても容易にデザインを改良できる。
【００３７】
次に、図２、図３を参照して、本考案に係る更に他の実施形態を説明する。図２、図３に示すように、本実施形態においては、第２座板部材３０は、当接面部３２に嵌合溝３３を有する。嵌合溝３３は、係止具１１と嵌合する。当接面部３２は、第２座板部材３０において、袋部１の内部側に向かう面であり、係止具１１と当接する。
【００３８】
以上、図２、図３を参照して説明したように、実施形態に係る袋物の提げ手によれば、第２座板部材３０は、当接面部３２に嵌合溝３３を有する。従って、係止具１１を嵌合溝３３によって第２座板部材３０に保持することができ、より確実に、第２座板部材３０によって、係止具１１を抜止め状態に係止できる。
【００３９】
次に、図６、図７を参照して、本考案に係る手提げ袋の実施形態を説明する。図６は、実施形態に係る手提げ袋を示す斜視図である。図７は、実施形態に係る手提げ袋を示す断面図である。
【００４０】
図６、図７に示すように、本実施形態に係る手提げ袋は、図１から図３に示した袋物の提げ手と、袋部１の内部側に配設される内部収容体５０を備える。内部収容体５０は、小物を収容するポケット部５１と、シート状の支持部５２とを有する。支持部５２は、第３挿通孔５２ａを有し、ポケット部５１を支持する。第３挿通孔５２ａは、雄螺子部２１が挿通される。第３挿通孔５２ａの径は、第２座板部材３０の外径より小さく、雄螺子部２１を第３挿通孔５２ａに挿通し、雌螺子部３１を雄螺子部２１に螺合させることによって、支持部５２が第２座板部材３０によって袋部１に係止され、内部収容体５０が袋部１に固定される。なお、図１から図３に示した袋物の提げ手に替えて、図４又は図５に示した袋物の提げ手を用いることもできる。
【００４１】
以上、図６、図７を参照して説明したように、実施形態に係る手提げ袋によれば、ポケット部５１を有する内部収容体５０が袋部１の内部側に配設可能となる。従って、袋部１の内部で、鍵、定期入れ等の小物をポケット部５１に収容することができ、それらの小物を袋部１から取り出すことが容易となり、使用者の利便性を更に向上させることができる。
【００４２】
以上、図面（図１〜図７）を参照しながら本考案の実施形態を説明した。但し、本考案は、上記の実施形態に限られるものではなく、その要旨を逸脱しない範囲で種々の態様において実施することが可能である（例えば、下記（１））。
【００４３】
（１）図４を参照して説明したように、上記実施形態では規制部４３をワッシャ部材４０に設けたが、規制部４３は、必ずしもワッシャ部材４０に設けなくてもよく、例えば、規制部４３を第２座板部材３０から袋部１の外部側に向かって突設し、嵌合孔３を介して規制部４３をワッシャ部材４０に係合させれば、ワッシャ部材４０が、雄螺子部２１の中心軸周りに回転することを規制できる。このとき、ワッシャ部材４０に、規制部４３と嵌合する嵌合孔又は嵌合凹部を設けることもできる。
【符号の説明】
【００４４】
１…袋部
１０…提げ手主体
１１…係止具
２…第１挿通孔
２０、２０Ａ…第１座板部材
２１…雄螺子部
２１ａ…中空部
２２、２２Ａ…鍔部
３０…第２座板部材
３１…雌螺子部
３２…当接面部
３３…嵌合溝
４０…ワッシャ部材
４１…第２挿通孔
４３…規制部
５０…内部収容体
５１…ポケット部
５２…支持部
５２ａ…第３挿通孔
【図１】
0003221603.tif 000003
【図２】
0003221603.tif 000004
【図３】
0003221603.tif 000005
【図４】
0003221603.tif 000006
【図５】
0003221603.tif 000007
【図６】
0003221603.tif 000008
【図７】
0003221603.tif 000009